【手続補正書】
【提出日】平成17年11月7日(2005.11.7)
【手続補正１】
【補正対象書類名】明細書
【補正対象項目名】発明の名称
【補正方法】変更
【補正の内容】
【発明の名称】撮像装置、システム及び画像配信方法
【手続補正２】
【補正対象書類名】明細書
【補正対象項目名】特許請求の範囲
【補正方法】変更
【補正の内容】
【特許請求の範囲】
【請求項１】
撮影した画像を外部装置に送信可能な撮像装置であって、
被写体を撮像する撮像手段と、
複数の焦点位置で前記被写体を撮像するように前記撮像手段を制御する制御手段と、
前記外部装置に前記被写体の画像の部分画像を送信する場合に、前記複数の焦点位置で撮像した画像の内、前記部分画像に最も焦点が合っている画像を選択する選択手段と、
前記選択手段により選択された画像の部分画像を送信する送信手段と
を有することを特徴とする撮像装置。
【請求項２】
前記選択手段は、前記複数の焦点位置で撮影した画像の内、予め設定された領域毎に最も焦点が合っている画像を検出する検出手段を有することを特徴とする請求項１に記載の撮像装置。
【請求項３】
前記選択手段は、前記部分画像に予め設定された複数の領域が含まれる場合、当該複数の領域の内、前記部分画像の中央部分にある領域に最も焦点が合っている画像を選択することを特徴とする請求項２に記載の撮像装置。
【請求項４】
前記選択手段は、前記部分画像に予め設定された複数の領域が含まれる場合、当該複数の領域の内、最も短い焦点位置で焦点が合っている領域を含む画像を選択することを特徴とする請求項２に記載の撮像装置。
【請求項５】
前記検出手段により検出した画像と対応する予め設定された領域とをリンクするリンク情報を記憶する記憶手段を更に有し、
前記選択手段は、前記リンク情報を参照して画像の選択を行うことを特徴とする請求項２乃至４のいずれかに記載の撮像装置。
【請求項６】
撮影した画像を外部装置に送信可能な撮像装置であって、
被写体を撮像する撮像手段と、
複数の焦点位置で前記被写体を撮像するように前記撮像手段を制御する制御手段と、
前記複数の焦点位置で撮像した画像の内、予め設定された領域毎に最も焦点が合っている画像を検出する検出手段と、
前記予め設定された領域毎に、前記検出手段により検出された画像から対応する領域の画像を抽出して、１枚の合成画像を生成する画像合成手段と、
前記外部装置に前記被写体の画像の部分画像を送信する場合に、前記合成画像の部分画像を送信する送信手段と
を有することを特徴とする撮像装置。
【請求項７】
前記部分画像は、前記撮像手段により撮影した画像を予め設定された分割数に分割したうちの１つであって、前記部分画像は、更に、前記分割数に分割可能であることを特徴とする請求項１乃至６のいずれかに記載の撮像装置。
【請求項８】
前記部分画像は、前記予め設定された領域を１以上含む領域の画像であることを特徴とする請求項２乃至７のいずれかに記載の撮像装置。
【請求項９】
前記予め設定された領域の大きさは、前記外部装置の画像表示サイズに応じて設定されることを特徴とする請求項２乃至８のいずれかに記載の撮像装置。
【請求項１０】
前記送信手段は、前記外部装置の画像表示サイズに応じて送信する画像の解像度を変更して送信することを特徴とする請求項１乃至９のいずれかに記載の撮像装置。
【請求項１１】
請求項５に記載の撮像装置と、記憶装置と、外部表示装置とからなるシステムであって、
前記記憶装置に、前記複数の焦点位置で被写体を撮像して得た複数の画像と、前記記憶手段に記憶されたリンク情報とを関連づけて、格納することを特徴とするシステム。
【請求項１２】
請求項６に記載の撮像装置と、記憶装置と、外部表示装置とからなるシステムであって、
前記記憶装置に、前記合成画像を格納することを特徴とするシステム。
【請求項１３】
撮影した画像を外部装置に送信する画像配信方法であって、
複数の焦点位置で被写体を撮像する撮像工程と、
前記外部装置に前記被写体の画像の部分画像を送信する場合に、前記複数の焦点位置で撮像した画像の内、前記部分画像に最も焦点が合っている画像を選択する選択工程と、
前記選択工程により選択された画像の部分画像を送信する送信工程と
を有することを特徴とする画像配信方法。
【請求項１４】
前記選択工程は、前記複数の焦点位置で撮影した画像の内、予め設定された領域毎に最も焦点が合っている画像を検出する検出工程を有することを特徴とする請求項１３に記載の画像配信方法。
【請求項１５】
前記選択工程では、前記部分画像に予め設定された複数の領域が含まれる場合、当該複数の領域の内、前記部分画像の中央部分にある領域に最も焦点が合っている画像を選択することを特徴とする請求項１４に記載の画像配信方法。
【請求項１６】
前記選択工程では、前記部分画像に予め設定された複数の領域が含まれる場合、当該複数の領域の内、最も短い焦点位置で焦点が合っている領域を含む画像を選択することを特徴とする請求項１４に記載の画像配信方法。
【請求項１７】
前記検出工程で検出した画像と対応する予め設定された領域とをリンクするリンク情報を記憶する記憶工程を更に有し、
前記選択工程では、前記リンク情報を参照して画像の選択を行うことを特徴とする請求項１４乃至１６のいずれかに記載の画像配信方法。
【請求項１８】
撮影した画像を外部装置に送信する画像配信方法であって、
複数の焦点位置で被写体を撮影する撮像工程と、
前記複数の焦点位置で撮影した画像の内、予め設定された領域毎に最も焦点が合っている画像を検出する検出工程と、
前記予め設定された領域毎に、前記検出工程で検出された画像から対応する領域の画像を抽出して、１枚の合成画像を生成する画像合成工程と、
前記外部装置に前記被写体の画像の部分画像を送信する場合に、前記合成画像の部分画像を送信する送信工程と
を有することを特徴とする画像配信方法。
【請求項１９】
前記部分画像は、前記撮像工程で撮影した画像を予め設定された分割数に分割したうちの１つであって、前記部分画像は、更に、前記分割数に分割可能であることを特徴とする請求項１３乃至１８のいずれかに記載の画像配信方法。
【請求項２０】
前記部分画像は、前記予め設定された領域を１以上含む領域の画像であることを特徴とする請求項１４乃至１９のいずれかに記載の画像配信方法。
【請求項２１】
前記予め設定された領域の大きさは、前記外部装置の画像表示サイズに応じて設定されることを特徴とする請求項１４乃至２０のいずれかに記載の画像配信方法。
【請求項２２】
前記送信工程は、前記外部装置の画像表示サイズに応じて送信する画像の解像度を変更して送信することを特徴とする請求項１３乃至２１のいずれかに記載の画像配信方法。
【請求項２３】
請求項１３乃至２２のいずれかに記載の画像配信方法を実現するためのプログラムコードを有することを特徴とする情報処理装置が実行可能なプログラム。
【請求項２４】
請求項２３に記載のプログラムを記憶したことを特徴とする情報処理装置が読み取り可能な記憶媒体。
【手続補正３】
【補正対象書類名】明細書
【補正対象項目名】０００９
【補正方法】変更
【補正の内容】
【０００９】
【課題を解決するための手段】
上記目的を達成するために、撮影した画像を外部装置に送信可能な本発明の撮像装置は、被写体を撮像する撮像手段と、複数の焦点位置で前記被写体を撮像するように前記撮像手段を制御する制御手段と、前記外部装置に前記被写体の画像の部分画像を送信する場合に、前記複数の焦点位置で撮像した画像の内、前記部分画像に最も焦点が合っている画像を選択する選択手段と、前記選択手段により選択された画像の部分画像を送信する送信手段とを有する。
また、本発明のシステムは、上記撮像装置と、記憶装置と、外部表示装置とからなり、前記記憶装置に、前記複数の焦点位置で被写体を撮像して得た複数の画像と、前記記憶手段に記憶されたリンク情報とを関連づけて、格納する。
また、撮影した画像を外部装置に送信する本発明の画像配信方法は、複数の焦点位置で被写体を撮像する撮像工程と、前記外部装置に前記被写体の画像の部分画像を送信する場合に、前記複数の焦点位置で撮像した画像の内、前記部分画像に最も焦点が合っている画像を選択する選択工程と、前記選択工程により選択された画像の部分画像を送信する送信工程とを有する。
また、別の構成によれば、撮影した画像を外部装置に送信可能な本発明の撮像装置は、被写体を撮像する撮像手段と、複数の焦点位置で前記被写体を撮像するように前記撮像手段を制御する制御手段と、前記複数の焦点位置で撮像した画像の内、予め設定された領域毎に最も焦点が合っている画像を検出する検出手段と、前記予め設定された領域毎に、前記検出手段により検出された画像から対応する領域の画像を抽出して、１枚の合成画像を生成する画像合成手段と、前記外部装置に前記被写体の画像の部分画像を送信する場合に、前記合成画像の部分画像を送信する送信手段とを有する。
また、別の構成によれば、本発明のシステムは、上記撮像装置と、記憶装置と、外部表示装置とからなり、前記記憶装置に、前記合成画像を格納する。
また、撮影した画像を外部装置に送信する本発明の画像配信方法は、複数の焦点位置で被写体を撮影する撮像工程と、前記複数の焦点位置で撮影した画像の内、予め設定された領域毎に最も焦点が合っている画像を検出する検出工程と、前記予め設定された領域毎に、前記検出工程で検出された画像から対応する領域の画像を抽出して、１枚の合成画像を生成する画像合成工程と、前記外部装置に前記被写体の画像の部分画像を送信する場合に、前記合成画像の部分画像を送信する送信工程とを有する。